(57)【要約】【課題】化粧カバーの着脱に手間を要せず、また、化粧カバーを装着したまま所定の位置調整が行え、更には、化粧カバーの装着によって美的外観が損なわれることを防止するという目的が完全に達成され得る扉開閉装置を提供する。【解決手段】固定枠体に対する扉体２の前後方向及び／又は左右方向の位置調整に際しては、化粧カバー８を取り外さずに装着したまま回転し、同図のように固定板５に対し開成した状態にした後、化粧カバー８の裏面８ａ１に刻印されている図柄マーク等を確認しつつ調整ネジ９や調整カム１０等を操作する。そして、位置調整が完了し終えたら、化粧カバー８を反転して同図の二点鎖線で示すように固定板５に対し閉成した状態にする。この状態では、固定板５及び羽根板６の薄板部６ａを覆うため、即ち、美的外観が損なわれる部位を覆うために、化粧カバー８の装着によって美的外観が損なわれることを防止するという目的が完全に達成される。【選択図】  図３
2004339850.tif 000002
【特許請求の範囲】
【請求項１】
固定枠体に配設される第１ヒンジ部材と、扉体に配設される第２ヒンジ部材とが、軸棒を介して連設される扉開閉装置において、前記第１ヒンジ部材及び第２ヒンジ部材のうちの、少なくとも前記固定枠体に対する前記扉体の前後方向及び／又は左右方向の位置調整を行う方には、その所定部位を覆うように化粧カバーが着脱容易に取り付けられ、該化粧カバーは、前記位置調整に際しては、前記第１ヒンジ部材又は第２ヒンジ部材から取り外されることなく当該第１ヒンジ部材又は第２ヒンジ部材に対する相対位置が変えられることを特徴とする扉開閉装置。
【請求項２】
前記化粧カバーは、前記第１ヒンジ部材又は第２ヒンジ部材に対し回動可能に設けられて前記第１ヒンジ部材又は第２ヒンジ部材に対する相対位置が変えられることを特徴とする請求項１に記載の扉開閉装置。
【請求項３】
前記化粧カバーは、前記第１ヒンジ部材又は第２ヒンジ部材に対し摺動可能に設けられて前記第１ヒンジ部材又は第２ヒンジ部材に対する相対位置が変えられることを特徴とする請求項１に記載の扉開閉装置。
【請求項４】
前記化粧カバーは、前記位置調整に有用な図柄マークが刻印若しくは貼付され、又は前記位置調整に有用な取扱い説明書の収容部が設けられていることを特徴とする請求項１〜３のいずれかに記載の扉開閉装置。
【発明の詳細な説明】
【０００１】
【発明が属する技術分野】
本発明は、家具や建具等に設けられる扉体を開閉するための扉開閉装置に関し、特に、美的外観が損なわれることを防止するために設けられる化粧カバーに特徴を有する扉開閉装置に関する。
【０００２】
【従来の技術】
従来から扉開閉装置には、美的外観が損なわれることを防止するために化粧カバーが設けられている。かかる化粧カバーは、固定ねじなどを用いて着脱されるようになっている（例えば、特許文献１参照）。このような化粧カバーを、特許文献１に開示された扉開閉装置１００の化粧カバー１０１で説明する（図８，９）。
この扉開閉装置１００は、固定枠体１０２に固定されるケース体１０３と、ケース体１０３の収容凹部１０３ａ内で前後方向（図８中、Ａ１，Ｂ１方向）に移動可能な調整プレート１０４と、調整プレート１０４と共に移動可能で、且つ、調整プレート１０４（及びケース体１０３）に対し左右方向（図８中、Ｃ１，Ｄ１方向）に移動可能な一方の取付プレート１０５と、その中空筒状体１０６ａが取付プレート１０５の中空筒状体１０５ａに回転中心軸１０７を介して連設され、その取付板部１０６ｂが扉体１０８に固定される他方の取付プレート１０６とで構成され、更に、この扉開閉装置１００には、ケース体１０３に取り付けられる、上述した薄板状の化粧カバー１０１が設けられており、かかる化粧カバー１０１には、当該化粧カバー１０１をケース体１０３に固定ねじ１０９で取り付けるための当該固定ねじ１０９の挿通孔１０１ａが設けられ、また、上記前後方向に移動可能にするカム体１１０や上記左右方向に移動可能にする調整ボルト１１１などを、化粧カバー１０１を取り外すことなく回動操作できるようにするために、略コ字形状に切り欠かれた切欠凹部１０１ｂが設けられている。
【０００３】
【特許文献１】
特開平９−１５８５９５号公報（第３〜６頁、図１，２）
【０００４】
【発明が解決しようとする課題】
上記化粧カバーは、固定枠体及び扉体の上方位置と下方位置に所定間隔を空けてそれぞれ設けられる扉開閉装置に取り付けられ、かかる取り付けは上述の例のように固定ねじで行なわれるために手間を要し煩雑さが生ずる（当然のことながら、取り外しに際しても手間を要し煩雑さが生ずる）。これに加え、上記化粧カバーでは、固定ねじの頭部が被覆されないために、美的外観が損なわれることを防止するという目的が完全には達成されない。更に、化粧カバーを取り外すことなくカム体や調整ボルトの回動操作ができるように当該化粧カバーに切欠凹部を設けている点からしても、美的外観が損なわれることを防止するという目的が完全には達成されない。しかるに、美的外観が損なわれれないように化粧カバーに切欠凹部を設けないようにすることも可能であるが、この場合には、上記回動操作をするに際していちいち化粧カバーを取り外さなければならないため煩雑さが増し、取り外しているうちに当該化粧カバーを紛失するようなことになっては好ましくないし、これまで通り化粧カバーの取り付けを固定ねじで行う限り、依然として美的外観が損なわれることを防止するという目的が完全には達成されない。
【０００５】
本発明の目的は、化粧カバーの着脱に手間を要せず、また、化粧カバーを装着したまま所定の位置調整が行え、更には、化粧カバーの装着によって美的外観が損なわれることを防止するという目的が完全に達成され得る扉開閉装置を提供することにある。
【０００６】
【課題を解決するための手段】
上記課題を解決するために、本発明の請求項１に係る扉開閉装置は、固定枠体に配設される第１ヒンジ部材と、扉体に配設される第２ヒンジ部材とが、軸棒を介して連設され、第１ヒンジ部材及び第２ヒンジ部材のうちの、少なくとも固定枠体に対する扉体の前後方向及び／又は左右方向の位置調整を行う方には、第１ヒンジ部材又は第２ヒンジ部材の所定部位、即ち、美的外観が損なわれる部位を覆うように化粧カバーが着脱容易に取り付けられ、かかる化粧カバーは、固定枠体に対する扉体の前後方向及び／又は左右方向の位置調整に際しては、第１ヒンジ部材又は第２ヒンジ部材から取り外されることなく当該第１ヒンジ部材又は第２ヒンジ部材に対する相対位置が変えられるようにして、例えば図１に示すカム体１０や調整ボルト９に対する回動操作を可能にし、固定枠体に対する扉体の前後方向及び／又は左右方向の位置調整を行えるようにしたものである。
尚、美的外観が損なわれるが、化粧カバーに従来のような切欠凹部を設けてカム体や調整ボルトを回動操作できるようにしてもよいことはもちろんである。
【０００７】
本発明の請求項２に係る扉開閉装置において、上記化粧カバーは、より具体的には第１ヒンジ部材又は第２ヒンジ部材に対し回動可能に設けられて第１ヒンジ部材又は第２ヒンジ部材に対する当該化粧カバーの相対位置が変えられるようにしたものである。
【０００８】
本発明の請求項３に係る扉開閉装置において、上記化粧カバーは、より具体的には第１ヒンジ部材又は第２ヒンジ部材に対し摺動可能に設けられて第１ヒンジ部材又は第２ヒンジ部材に対する当該化粧カバーの相対位置が変えられるようにしたものである。
【０００９】
本発明の請求項４に係る扉開閉装置において、上記化粧カバーは、その裏面若しくは表面に上記位置調整、即ち、固定枠体に対する扉体の前後方向及び／又は左右方向の位置調整に有用な図柄マークが刻印若しくは貼付され、又はその裏面若しくは表面に前記位置調整等に有用な取扱い説明書の収容部が設けられているもので、位置調整等に際しての利便性を向上させることができる。
尚、上記位置調整等には、例えば扉体の吊り込み方法や扉体の取り外し方法など扉開閉装置に関する取扱いを含む。
【００１０】
【発明の実施の形態】
本発明の第１の実施の形態に係る扉開閉装置を図１〜４を参照して説明する。
ところで、本扉開閉装置は、家具や建具などに設けられる扉体を開閉するために、家具等の固定枠体に配設される第１ヒンジ部材と、扉体に配設される第２ヒンジ部材とが軸棒を介して連設される構造のものであり、これら固定枠体及び扉体の上方位置と下方位置に所定間隔を空けてそれぞれ取り付けられる装置である。そして、本扉開閉装置では、第２ヒンジ部材側で固定枠体に対する扉体の前後方向及び／又は左右方向の位置調整を行うようにしているために、第２ヒンジ部材側に設けられる化粧カバーについて説明するが、後述するように、このような化粧カバーと同様な化粧カバーを、上記位置調整が行われない第１ヒンジ部材側にも設けるようにしてもよいことはもちろんである。
【００１１】
本扉開閉装置１は、上述のように、固定枠体（図示せず）に配設される第１ヒンジ部材３と、扉体２に配設される第２ヒンジ部材４とで構成され、第１ヒンジ部材３と第２ヒンジ部材４の下記羽根板６とが、これらの下記軸受支持体３ｂ及び中空筒状部６ｂに挿入される軸棒７を介して連設されて固定枠体に対する扉体２の開閉を自在に行わせるものである。
【００１２】
まず、本扉開閉装置１の構成を図１を参照して説明する。
本扉開閉装置１の第２ヒンジ部材４は、固定板５、上記羽根板６及び化粧カバー８で構成され、このうち固定板５は、略長方形状の底板５ａとこの底板５ａの、図１中の矢印Ａ方向に漸増するように形成された傾斜面をなす片面（後述する扉体２の凹溝２ａ１の底面に接触する面とは反対の面）側で、且つ、当該面側の両端部にそれぞれ立設されたフランジ５ｂ，５ｃとで構成されている。これらフランジ５ｂ，５ｃは、外観上同一の略矩形状体をなし、これら略矩形状体の対向面側に沿う態様で当該略矩形状体の側端面から同じ向きに鍔５ｄ，５ｅが突設され、かかる鍔５ｄ，５ｅには、両鍔５ｄ，５ｅの対向面とは反対側面に略Ｕ字状の切欠き溝５ｄ１，５ｅ１（但し、溝５ｅ１は図示されていない）が設けられている。また、これらフランジ５ｂ，５ｃには、略矩形状体の中央部に後述する化粧カバー８の突出ピン１４，１５の挿入孔５ｂ１，５ｃ１がそれぞれ設けられ、挿入孔５ｂ１を点対称にして段付き通孔５ｂ２，５ｂ３が、また、挿入孔５ｃ１を点対称にして段付き通孔５ｃ２，５ｃ３が設けられるとともに、フランジ５ｂ，５ｃ間の中心線を対称にして段付き通孔５ｂ２，５ｃ２が、同様にして段付き通孔５ｂ３，５ｃ３がそれぞれ設けられている。これら通孔５ｂ２，５ｂ３及び通孔５ｃ２，５ｃ３には、止めネジ（図示せず）が当該通孔５ｂ２等に埋め込まれる態様で配設され、これにより、固定板５が扉体２の側端面に設けられたスリツト２ａの凹溝２ａ１に埋め込まれる態様にして固着される。
【００１３】
ところで、本実施の形態に係る底板５ａの略中央部には、当該底板５ａの傾斜方向に沿って角状溝５ａ１及びＣ状溝５ａ２が設けられている。このうち角状溝５ａ１のところには調整ネジ９が配設され、この調整ネジ９は、当該角状溝５ａ１の通孔を挿通して、底板５ａに一体として成形されたブッシュ９ａのネジ穴（図示せず）に螺合されるとともに、当該調整ネジ９の頭部に設けられたフランジが羽根板６の下記Ｕ字状溝６ａ１の辺縁を支持する態様に配設され（図２参照）、かかる調整ネジ９を進退させ固定板５に対し羽根板６を左右方向（図１中の矢印Ｃ，Ｄ方向）に揺動させることにより、固定枠体に対する扉体２の左右方向の調整を行うものである。また、Ｃ状溝５ａ２のところには調整カム１０が配設され、この調整カム１０は、そのカム体部が当該Ｃ状溝５ａ２に配設されるとともに、その軸部が羽根板６の下記縦長円孔６ａ２に挿入され（図２参照）、かかる調整カム１０を回動させ固定板５に対し羽根板６を前後方向（図１中の矢印Ａ，Ｂ方向）に移動させることにより、固定枠体に対する扉体２の前後方向の調整を行うものである。
【００１４】
また、底板５ａのＣ状溝５ａ２の両側にはネジ孔５ａ３，５ａ４が設けられたブッシュ１１ａ１，１１ｂ１が底板５ａに一体に成形されている。これらブッシュ１１ａ１，１１ｂ１のネジ孔５ａ３，５ａ４は、羽根板６の下記横長円孔６ａ３，６ａ４を挿通する固定ネジ１１ａ，１１ｂを螺着させるものであり、これにより羽根板６が固定板５に固定される。
尚、扉体２の凹溝２ａ１に設けられた矩形状の通穴は、上記ブッシュ９ａやブッシュ１１ａ１，１１ｂ１などとの干渉防止のための逃げ穴である。
【００１５】
上記羽根板６は、矩形状の薄板部６ａとこの薄板部６ａの一方端に形成された上記中空筒状部６ｂからなり、薄板部６ａには、固定板５の角状溝５ａ１及びＣ状溝５ａ２に対応して、その他方端に上記Ｕ字状溝６ａ１が、また、略中央に上記縦長円孔６ａ２が設けられ、更に、固定板５のネジ孔５ａ３，５ａ４に対応して、縦長円孔６ａ２の両側に上記横長円孔６ａ３，６ａ４が設けられている。一方、中空筒状部６ｂには、鍔付きの軸棒７が挿入され、かかる軸棒７が当該中空筒状部６ｂ内に配設されたスプリング（図示せず）によって付勢され（同図では、スプリングの付勢力に抗して押し下げられている状態で示されている）、軸棒７の鍔が中空筒状部６ｂの端縁に係止される。
【００１６】
そして、本扉開閉装置１の化粧カバー８は、上記固定板５とほぼ等しい長方形状をなす薄板部材８ａと、この薄板部材８ａの裏面８ａ１で、且つ、この薄板部材８ａの長辺の一方端縁に、当該薄板部材８ａの両端から所定位置のところにそれぞれ立設され当該所定位置のところで外側にそれぞれ折曲された薄板部材８ｂ，８ｃと、この薄板部材８ａの裏面８ａ１で、且つ、この薄板部材８ａの長辺の他方端縁に沿って立設された細長の薄板部材８ｄとで構成され、薄板部材８ｂ，８ｃの各折曲部には、その対向する面側に短小の円筒状軸１２，１３が突設されている。そして、かかる軸１２，１３を、上記固定板５の鍔５ｄ，５ｅに設けられた切欠き溝５ｄ１，５ｅ１に緩嵌させれば、化粧カバー８が固定板５に簡単に取り付けられ、化粧カバー８を固定板５に対し回動自在に設けることができる（図２参照）。また、化粧カバー８を取り外す場合には、化粧カバー８を開成状態にして当該化粧カバー８の軸１２，１３を切欠き溝５ｄ１，５ｅ１から離脱させればよく、したがって、化粧カバー８の着脱に手間を要しない。
【００１７】
また、薄板部材８ａの裏面８ａ１には、上記位置調整、即ち、固定枠体に対する扉体２の前後方向及び左右方向の位置調整に有用な図柄マーク及び当該図柄マークの部材名の刻印Ｐが、調整ネジ９、調整カム１０、及び固定ネジ１１ａ，１１ｂの配置位置に対応して設けられている。更に、この裏面８ａ１には、当該薄板部材８ａの両端近傍に、化粧カバー８が固定板５を覆う方向に回転されたときに当該固定板５の挿入孔５ｂ１，５ｃ１に挿入される上記突出ピン１４，１５がそれぞれ設けられている。
ところで、図１中に特記された付図に示すように、薄板部材８ａの裏面８ａ１に上述のような刻印Ｐを設ける代わりに、上記位置調整等に有用な取扱い説明書Ｑの収容部を設けるべく当該裏面８ａ１の適宜位置にホルダ１６，１７をそれぞれ設けるようにしてもよく、このようにすると、説明書Ｑには、上記位置調整に関する事項に限らず、例えば扉体の吊り込み方法や扉体の取り外し方法など扉開閉装置に関する取扱い事項を加えることができ、利便性を更に向上させることができる。
【００１８】
上記羽根板６に連設される第１ヒンジ部材３は、矩形状の薄板部３ａと、この薄板部３ａの長辺側の一方辺で、且つ、当該長辺側の端縁から略中央部に至るところに形成された上記軸受支持体３ｂとからなり、この軸受支持体３ｂに軸棒７が挿入されることにより、この軸棒７を介して第１ヒンジ部材３と羽根板６とが連設される。即ち、第１ヒンジ部材３と第２ヒンジ部材４とが軸棒７を介して連設される。尚、薄板部３ａに設けられた通孔３ａ１〜３ａ５は、第１ヒンジ部材３を固定枠体に取り付けるための止めネジ（図示せず）の挿通孔であり、また、３ｃは、軸受支持体３ｂと中空筒状部６ｂ間の被覆キャップである。
【００１９】
本扉開閉装置１の化粧カバー８に対する操作について図３，４を参照して説明する。
固定枠体に対する扉体２の前後方向及び／又は左右方向の位置調整に際しては、固定板５に対する化粧カバー８の着脱が上述のように容易であるから化粧カバー８を固定板５から取り外しておいてもよいが、化粧カバー８を取り外さずに装着したまま回転して、図３のように固定板５に対し開成した状態（第２ヒンジ部材に対する相対位置を変える状態）にする。しかる後、化粧カバー８の裏面８ａ１に刻印されている図柄マーク等を確認しつつ調整ネジ９や調整カム１０等を操作することができる。
そして、このような位置調整が完了し終えたら、化粧カバー８を反転して図４のように固定板５に対し閉成した状態にする。化粧カバー８が閉成状態にあるときは、固定板５及び羽根板６の薄板部６ａ（第２ヒンジ部材の所定部位）を覆うため、即ち、美的外観が損なわれる部位を覆うために、化粧カバー８の装着によって美的外観が損なわれることを防止するという目的が完全に達成することができる。
ところで、本実施の形態では、化粧カバー８の回転軸としての円筒状軸１２，１３が軸棒７側に設けられているため、化粧カバー８を閉め忘れた場合であっても、扉体２が閉まる方向に回転したときに化粧カバー８も閉じる方向にあり、化粧カバー８の破損を防げる。
【００２０】
次に、本発明の第２の実施の形態に係る扉開閉装置を図５を参照して説明する。但し、図５において、図１〜４の構成部材と同一の部材には同一番号を付し、その説明は割愛する。尚、図５においては、例えばＣ状溝５ａ２等が省略されて描かれている。
本扉開閉装置２０が上記扉開閉装置１と異なるところは、上記化粧カバー８に代えて化粧カバー２１とし、これに伴い上記固定板５の代わりに固定板２２とした点であるが、本扉開閉装置２０においても扉開閉装置１に準じて、化粧カバー２１が固定板２２に対し回動可能に設けられている。
【００２１】
まず、固定板２２は、そのフランジ２２ａ，２２ｂが上記固定板５のフランジ５ｂ，５ｃと一部形状を異にしている。即ち、フランジ２２ａ，２２ｂは、図５に示すように、フランジ５ｂ，５ｃの、鍔５ｂ１，５ｃ１が突設された側端面とは反対側の側端面に相当する側端面２２ａ１，２２ｂ１に略矩形状の切欠き溝２３，２４がそれぞれ設けられ、かかる切欠き溝２３，２４は、切欠き溝２３の底面２３ａが、フランジ２２ａの上面２２ａ２、側面２２ａ３に連接し、また、切欠き溝２４の底面２４ａが、フランジ２２ｂの上面２２ｂ２、側面２２ｂ３に連接するように設けられている。そして、切欠き溝２３，２４の底面２３ａ，２４ａには、それらの中心より固定板２２の底板５ａ寄りに軸孔２３ｂ，２４ｂがそれぞれ設けられている。また、固定板２２の側端面２２ａ１，２２ｂ１とは反対側の側端面には、固定板５の鍔５ｄ，５ｅに相当するものは設けられておらず、上面２２ａ２、側面２２ａ３から延出する態様で角状の鍔２２ａ４が、また、上面２２ｂ２、側面２２ｂ３から延出する態様で角状の鍔２２ｂ４がそれぞれ突設されている。
尚、フランジ２２ａ，２２ｂでは、フランジ５ｂ，５ｃにあるような挿入孔５ｂ１，５ｃ１は設けられておらず、また、フランジ２２ａ，２２ｂの段付き通孔５ｂ２，５ｃ２とフランジ５ｂ，５ｃのそれとは通孔位置が異なっている。
【００２２】
そして、本扉開閉装置２０の化粧カバー２１は、上記固定板２２とほぼ等しい長方形状をなす薄板部材２１ａと、この薄板部材２１ａの裏面で、且つ、この薄板部材２１ａの長辺の一方端縁に沿って立設された細長の薄板部材２１ｂと、この薄板部材２１ａの裏面で、且つ、この薄板部材２１ａの長辺の他方端縁に、当該薄板部材２１ａの両端から所定位置のところにそれぞれ立設された薄板部材２１ｃ，２１ｄとで構成され、このうちの薄板部材２１ｂの端面２１ｂ１の所定位置には適宜な間隔を隔てて、上記固定板２２の切欠き溝２３，２４に嵌入される略矩形状の突片２５，２６が立設され、これら略矩形状面の略中央には上記切欠き溝２３，２４の軸孔２３ｂ，２４ｂに嵌挿される円筒状軸２５ａ，２６ａが当該化粧カバー２１の内側方向を向いて立設されている。また、薄板部材２１ｃ，２１ｄの互いに向き合う端面には、フック状に成形された引掛部２１ｃ１，２１ｄ１が設けられている。
【００２３】
ところで、本化粧カバー２１は、樹脂製部材で一体に成形されているものであり、更に、突片２５，２６と薄板部材２１ｂとの間の一部分は、他の部分より厚みを薄くし、薄肉ヒンジ部としている。したがって、突片２５，２６は、薄板部材２１ｂに対しある程度折曲又は回転可能であり、所謂可撓性を有する。このため、上記軸２５ａ，２６ａを、上記固定板２２の切欠き溝２３，２４に設けられた軸孔２３ｂ，２４ｂに嵌挿させれば、化粧カバー２１が固定板２２に簡単に取り付けられ、化粧カバー２１を固定板２２に対し回動可能に設けることができる。また、化粧カバー２１を取り外す場合には、図５中の矢印で示す方向に回転してから軸２５ａ，２６ａを軸孔２３ｂ，２４ｂから離脱させればよく、したがって、化粧カバー２１の着脱に手間を要しない。
【００２４】
また、薄板部材２１ａの裏面には、化粧カバー８と同様に、上記位置調整、即ち、固定枠体に対する扉体２の前後方向及び左右方向の位置調整に有用な図柄マーク及び当該図柄マークの部材名が、調整ネジ９、調整カム１０、及び固定ネジ１１ａ，１１ｂの配置位置に対応させて刻印されていることはもちろんである。尚、薄板部材２１ａの裏面には、薄板部材８ａの裏面８ａ１にあるような突出ピン１４，１５は設けられていない。
【００２５】
本扉開閉装置２０の化粧カバー２１に対する操作について説明する。
本扉開閉装置２０においても、上述と同様の位置調整に際しては、固定板２２に対する化粧カバー２１の着脱が容易であるから化粧カバー２１を固定板２２から取り外しておいてもよいが、化粧カバー２１を取り外さずに図５中の矢印で示す方向に回転して固定板２２に対し同図中の二点鎖線で示すような開成した状態（第２ヒンジ部材に対する相対位置を変える状態）にする。しかる後、化粧カバー２１の裏面に刻印されている図柄マーク等を確認しつつ調整ネジ９や調整カム１０等（図５では省略されている）を操作することができる。
そして、このような位置調整が完了し終えたら、化粧カバー２１を図５中の矢印で示す方向とは反対方向に回転して固定板２２に対し閉成した状態にするとともに、当該化粧カバー２１の引掛部２１ｃ１，２１ｄ１を固定板２２の鍔２２ａ４，２２ｂ４に係止する。化粧カバー２１が閉成状態にあるときは、固定板２２及び羽根板６の薄板部６ａ（第２ヒンジ部材の所定部位）を覆うため、即ち、美的外観が損なわれる部位を覆うために、化粧カバー２１の装着によって美的外観が損なわれることを防止するという目的が完全に達成することができる。
【００２６】
ところで、本第２の実施の形態を変形し、上記化粧カバー２１と固定板２２とを樹脂製部材にて一体で成形してもよい。この場合には、化粧カバー２１と固定板２２との間の一部分は、他の部分より厚みを薄くし、薄肉ヒンジ部とすればよい。
【００２７】
次に、本発明の第３の実施の形態に係る扉開閉装置を図６を参照して説明する。但し、図６において、図１〜５の構成部材と同一の部材には同一番号を付し、その説明は割愛する。尚、図６においては、例えばＣ状溝５ａ２等が省略されて描かれている。
本扉開閉装置３０が上記扉開閉装置１と異なるところは、上記化粧カバー８に代えて化粧カバー３１とし、これに伴い上記固定板５の代わりに固定板３２とした点であるが、本扉開閉装置３０においては扉開閉装置１と異なり、化粧カバー３１が固定板３２に対し摺動可能に設けられている。
【００２８】
まず、固定板３２は、そのフランジ３２ａ，３２ｂが上記固定板５のフランジ５ｂ，５ｃと一部形状を異にしている。即ち、フランジ３２ａ，３２ｂは、図６に示すように、両フランジ３２ａ，３２ｂの対面する側に、フランジ３２ａには当該フランジ３２ａの一方側面３２ａ１から他方側面３２ａ２までには達しない所定位置のところに縦長孔３３ａと横孔３３ｂとで構成される断面Ｔ字形状のスリット３３が、そして、上記所定位置から他方側面３２ａ２に至るところに上記スリット３３に連通する態様で上記横孔３３ｂで構成されるスリット３７が設けられ、また、フランジ３２ｂには、当該フランジ３２ｂの側面３２ｂ１から他方側面３２ｂ２までには達しない所定位置のところに縦長孔３４ａと横孔３４ｂとで構成される断面Ｔ字形状のスリット３４が、そして、上記所定位置から他方側面３２ｂ２に至るところに上記スリット３４に連通する態様で上記横孔３４ｂで構成されるスリット３８が設けられ、これらスリット３３，３４及びスリット３７，３８の横孔３３ｂ，３４ｂは、フランジ３２ａ，３２ｂの上面（底板５ａとは反対側に位置する面）に開口されている。
尚、フランジ３２ａ，３２ｂにおいて、その段付き通孔５ｂ２，５ｃ２は、上記スリット３３，３４やスリット３７，３８が設けられているためにフランジ５ｂ，５ｃに設けられている通孔位置とは異なっており、また、フランジ５ｂ，５ｃにあるような挿入孔５ｂ１，５ｃ１は設けられていない。更に、フランジ３２ａ，３２ｂにおいては、フランジ５ｂ，５ｃにあるような鍔５ｄ，５ｅは設けられていない。
【００２９】
そして、本扉開閉装置３０の化粧カバー３１は、上記固定板３２とほぼ等しい長方形状をなす薄板部材３１ａと、この薄板部材３１ａの裏面（表面３１ａ１とは反対側の面）で、且つ、この薄板部材３１ａの長辺の一方端縁に沿って立設された細長の薄板部材３１ｂとで構成され、このうちの薄板部材３１ａの所定位置、即ち、上記固定板３２のスリット３３，３４及びスリット３７，３８に対応する位置に、薄板部材３１ａの一方端から他方端に達して薄板部材３１ｂに垂直に当接する突条板３５，３６が立設され、この突条板３５，３６の先端（薄板部材３１ｂに当接する側とは反対側の）で、且つ、当該突条板３５の上面及び下面、並びに当該突条板３６の上面及び下面にくさび状の突起３５ｂ，３６ｂがそれぞれ設けられ、この突条板３５，３６の、突起３５ｂ，３６ｂが設けられた断面中央部には、スリット３５ａ，３６ａが設けられている。
このような構成に係る化粧カバー３１にあっては、当該化粧カバー３１の突条板３５，３６を、図６中の矢印方向から上記固定板３２のスリット３７，３８を介してスリット３３，３４内にそれぞれ挿入していけば、化粧カバー３１が固定板３２に簡単に取り付けられ、突起３５ｂ，３６ｂがスリット３７，３８に挿入される際に多少の抗力を受けるが、化粧カバー３１を固定板３２に対し摺動可能に設けることができる。また、化粧カバー３１を取り外す場合には、当該化粧カバー３１の突条板３５，３６をスリット３３，３４及びスリット３７，３８から離脱させればよく、したがって、化粧カバー３１の着脱に手間を要しない。
【００３０】
ところで、化粧カバー３１においては、その薄板部材３１ａの表面３１ａ１側に、上記位置調整、即ち、固定枠体に対する扉体２の前後方向及び左右方向の位置調整に有用な図柄マーク及び当該図柄マークの部材名が、調整ネジ９、調整カム１０、及び固定ネジ１１ａ，１１ｂの配置位置に対応させて刻印されている。
【００３１】
本扉開閉装置３０の化粧カバー３１に対する操作について説明する。
本扉開閉装置３０において、上述と同様の位置調整に際しては、固定板３２に対する化粧カバー３１の着脱が容易であるから化粧カバー３１を固定板３２から取り外しておいてもよいが、化粧カバー３１を取り外さずに図６中の矢印方向とは反対方向に摺動させて、突起３５ｂ，３６ｂがスリット３７，３８の内端壁（例えば図６の３７ａ，３８ａで示されるところ）に当接する状態（第２ヒンジ部材に対する相対位置を変える状態）にする。しかる後、化粧カバー３１の表面に刻印されている図柄マーク等を確認しつつ調整ネジ９や調整カム１０等（図６では省略されている）を操作することができる。
そして、このような位置調整が完了し終えたら、化粧カバー３１を図６中の矢印方向に摺動して固定板３２に対し閉成した状態にする。この状態のとき、化粧カバー３１の薄板部材３１ｂが、フランジ３２ａ，３２ｂの側面３２ａ２，３２ｂ２に当接する一方、その突起３５ｂ，３６ｂの先端が、フランジ３２ａ，３２ｂの側面３２ａ１，３２ｂ１から突出しないまでも当該側面３２ａ１，３２ｂ１近くにまで達する。化粧カバー３１がこのような状態にあるときは、固定板３２及び羽根板６の薄板部６ａ（第２ヒンジ部材の所定部位）を覆うため、即ち、美的外観が損なわれる部位を覆うために、化粧カバー３１の装着によって美的外観が損なわれることを防止するという目的が完全に達成される。
【００３２】
ところで、上述したように、このような化粧カバー８，２１，３１と同様な化粧カバーを、上記位置調整が行われない第１ヒンジ部材３側にも設けるようにしてもよいことはもちろんである。
図７は、第１ヒンジ部材３に化粧カバー４０を設ける場合の一例を示すものである。但し、同図において、図１の構成部材と同一の部材には同一番号を付し、その説明は割愛する。
第１ヒンジ部材３に化粧カバー４０を設ける場合、本例では、薄板部３ａの、軸受支持体３ｂが設けられている側とは反対側に位置する長辺の両端から、薄板部３ａの、通孔３ａ１〜３ａ５への止めネジの挿入側に位置する面側に突出する態様でフランジ３ｄ，３ｅが設けられるとともに、このフランジ３ｄ，３ｅの先端部に円筒状ピン４１が、本実施の形態では緩挿されるピン孔３ｄ１，３ｅ１がそれぞれ設けられている。また、薄板部３ａの、止めネジの挿入側とは反対側に位置する面側で、且つ、当該面を構成する上下端短辺の略中央付近に凹溝３ｆ，３ｇ（但し、凹溝３ｇは図示されていない）が設けられている。
【００３３】
一方、化粧カバー４０は、第１ヒンジ部材３の薄板部３ａに設けられた通孔３ａ１〜３ａ５が覆われる程の板面４０ａを有する略矩形状薄板部材で構成されている。そして、この板面４０ａの一方の長辺側に位置する当該化粧カバー４０の上下端面４０ｂ，４０ｃには、上記ピン４１が、本実施の形態では圧入される有底孔４０ｂ１，４０ｃ１（但し、有底孔４０ｃ１は図示されていない）が設けられる一方、板面４０ａの他方の長辺側に位置する当該化粧カバー４０の上下端面４０ｂ，４０ｃには、この上下端面４０ｂ，４０ｃから当該板面４０ａ側に突出する態様でフランジ４０ｄ，４０ｅがそれぞれ設けられ、フランジ４０ｄ，４０ｅの互いに対向する面側で、且つ、当該フランジ４０ｄ，４０ｅの先端には、フック状の突起が形成されている。
【００３４】
このような化粧カバー４０については、当該化粧カバー４０の有底孔４０ｂ１，４０ｃ１に、第１ヒンジ部材３のフランジ３ｄ，３ｅに設けられたピン孔３ｄ１，３ｅ１を介してピン４１を圧入すれば、化粧カバー４０が第１ヒンジ部材３に簡単に取り付けられ、化粧カバー４０を第１ヒンジ部材３に対し回動自在に設けることができる。そして、化粧カバー４０の、第１ヒンジ部材３に対する閉成状態を維持する場合には、化粧カバー４０のフランジ４０ｄ，４０ｅの突起を第１ヒンジ部材３の凹溝３ｆ，３ｇにそれぞれ係止させればよく、また、この場合には、化粧カバー４０が第１ヒンジ部材３の、薄板部３ａに設けられた通孔３ａ１〜３ａ５の部位（第１ヒンジ部材の所定部位）を覆うため、即ち、美的外観が損なわれる部位を覆うために、化粧カバー４０の装着によって美的外観が損なわれることを防止するという目的が完全に達成することができる。
また、化粧カバー４０を取り外す場合には、ピン４１を抜き取ればよく、したがって、化粧カバー４０の着脱に手間を要しない。
【００３５】
【発明の効果】
本発明の扉開閉装置によれば、化粧カバーの着脱に手間を要せず、また、化粧カバーを装着したまま所定の位置調整が行え、更には、化粧カバーの装着によって美的外観が損なわれることを防止するという目的が完全に達成される。
【図面の簡単な説明】
【図１】第１の実施の形態に係る扉開閉装置の分解斜視図である。
【図２】図１の装置における化粧カバーの取付構造図である。
【図３】図１の装置の化粧カバーに対する操作説明図である。
【図４】図１の装置の化粧カバーに対する操作説明図である。
【図５】第２の実施の形態に係る扉開閉装置の化粧カバー及び固定板の分解斜視図である。
【図６】第３の実施の形態に係る扉開閉装置の化粧カバー及び固定板の分解斜視図である。
【図７】図１の装置の第１ヒンジ部材に化粧カバーを設ける場合の一例図である。
【図８】従来の扉開閉装置の分解斜視図である。
【図９】従来の扉開閉装置の正面図である。
【符号の説明】
１，２０，３０        扉開閉装置
２                    扉体
３                    第１ヒンジ部材
４                    第２ヒンジ部材
５，２２，３２        固定板
７                    軸棒
８，２１，３１        化粧カバー
Ｐ                    刻印
Ｑ                    取扱い説明書
【図１】
2004339850.tif 000003
【図２】
2004339850.tif 000004
【図３】
2004339850.tif 000005
【図４】
2004339850.tif 000006
【図５】
2004339850.tif 000007
【図６】
2004339850.tif 000008
【図７】
2004339850.tif 000009
【図８】
2004339850.tif 000010
【図９】
2004339850.tif 000011
【手続補正書】
【提出日】平成15年5月21日(2003.5.21)
【手続補正１】
【補正対象書類名】図面
【補正対象項目名】全図
【補正方法】変更
【補正の内容】
【図１】
2004339850.tif 000012
【図２】
2004339850.tif 000013
【図３】
2004339850.tif 000014
【図４】
2004339850.tif 000015
【図５】
2004339850.tif 000016
【図６】
2004339850.tif 000017
【図７】
2004339850.tif 000018
【図８】
2004339850.tif 000019
【図９】
2004339850.tif 000020